(57)【要約】      （修正有）【課題】小物を収納する小物収納部を備えた使用勝手の良好な携帯端末用スタンドを提供する。【解決手段】携帯端末用スタンドは、載置面に載置される本体を有した携帯端末用スタンドであって、本体は、外側に携帯端末を支持する支持部と、内側に小物５を収納する小物収納部６とを有し、この小物収納部６に小物５を出し入れ自在になるように、本体の扉片１１が回動して開閉できる構造となっている。【選択図】図４
0003234450.tif 000002
【実用新案登録請求の範囲】
【請求項１】
載置面に載置される本体を有した携帯端末用スタンドであって、
前記本体は、外側に携帯端末を支持する支持部と、内側に小物を収納する小物収納部とを有し、この小物収納部に前記小物を出し入れ自在になるように、前記本体が開閉又は分離できる構造となっている
ことを特徴とする携帯端末用スタンド。
【請求項２】
棒状体を収納する棒状体収納部が本体に設けられ、前記棒状体収納部の開口部が外方に臨んでいる
ことを特徴とする請求項1記載の携帯端末用スタンド 。                  
【請求項３】
本体の形状が、動物、魚、人形、果物、植物及びキャラクターの何れかである
ことを特徴とする請求項1記載の携帯端末用スタンド。    
【請求項４】
小物収納部に、少なくとも、充電ケーブル、イヤホン、ＵＳＢの何れか一つ以上が収納されている
ことを特徴とする請求項1記載の携帯端末用スタンド。
【考案の詳細な説明】
【技術分野】
【０００１】
本考案は、携帯端末用スタンドに係り、特に、小物を収納する小物収納部を備えた使用勝手の良好な携帯端末用スタンドに関する。
【背景技術】
【０００２】
従来、携帯端末を支持する携帯端末用スタンドがある(特許文献１参照)。
この携帯端末用スタンドにあっては、スマートフォンを、例えば、縦型、横型に支持することができるようになっている。
【先行技術文献】
【特許文献】
【０００３】
【特許文献１】特開2020-10866号公報
【考案の概要】
【考案が解決しようとする課題】
【０００４】
ところが、上記携帯端末用スタンドにあっては、充電ケーブル、イヤホン、ＵＳＢ等の小物を収納する収納部がなく、使用勝手が良好でないという問題点が生じた。
【０００５】
本考案は、上記の問題点を考慮してなされた携帯端末用スタンドを提供することにある。
【課題を解決するための手段】
【０００６】
請求項１記載の携帯端末用スタンドは、載置面に載置される本体を有した携帯端末用スタンドであって、前記本体は、外側に携帯端末を支持する支持部と、内側に小物を収納する小物収納部とを有し、この小物収納部に前記小物を出し入れ自在になるように、前記本体が開閉又は分離できる構造となっているものである。
【０００７】
また、請求項２記載の携帯端末用スタンドは、請求項1記載の携帯端末用スタンドにおいて、棒状体を収納する棒状体収納部が本体に設けられ、前記棒状体収納部の開口部が外方に臨んでいるものである。
【０００８】
また、請求項３記載の携帯端末用スタンドは、請求項1記載の携帯端末用スタンドにおいて、本体の形状が、動物、魚、人形、果物、植物及びキャラクターの何れかである。
【０００９】
また、請求項４記載の携帯端末用スタンドは、請求項1記載の携帯端末用スタンドにおいて、小物収納部に、少なくとも、充電ケーブル、イヤホン、ＵＳＢの何れか一つ以上が収納されているものである。
【考案の効果】
【００１０】
請求項１記載の携帯端末用スタンドによれば、携帯端末を支持する機能に加え、小物を収納する小物収納部を有しているため、小物を収納でき、使用勝手の良好な携帯端末用スタンドを得ることができる。
【００１１】
また、請求項２記載の携帯端末用スタンドによれば、上述した請求項１記載の考案の効果に加え、棒状体を収納する棒状体収納部が本体に設けられ、前記棒状体収納部の開口部が外方に臨んでいるため、タッチペン、アップル社製アップルペンシル等の棒状体を収納でき、使用勝手の良好な携帯端末用スタンドを得ることができる。
【００１２】
また、請求項３記載の携帯端末用スタンドによれば、上述した請求項１記載の考案の効果に加え、本体の形状が、動物、魚、人形、果物、植物及びキャラクターの何れかであるため、本体に意匠的デザインを施すことができ、携帯端末用スタンドの視認性を高めることができる。
【００１３】
また、請求項４記載の携帯端末用スタンドによれば、携帯端末を支持する機能に加え、小物収納部に、少なくとも、充電ケーブル、イヤホン、ＵＳＢの何れか一つ以上が収納されているため、充電ケーブル、又は、イヤホン、又は、ＵＳＢを収納でき、使用勝手の良好な携帯端末用スタンドを得ることができる。
【図面の簡単な説明】
【００１４】
【図１】図１は、本考案の一実施例の携帯端末用スタンドを斜め方向から見た３Ｄ画像である。
【図２】図２は、図１の携帯端末用スタンドに携帯端末を縦型に支持した状態の３Ｄ画像である。
【図３】図３は、図１の携帯端末用スタンドに携帯端末を横型に支持した状態の３Ｄ画像である。
【図４】図４は、図１の携帯端末用スタンドの本体が開いて、小物収納部に充電ケーブル、イヤホン、ＵＳＢ等の小物を収納する前の状態の３Ｄ画像である。
【図５】図５は、図１の携帯端末用スタンドに棒状体を収納した状態の３Ｄ画像である。
【考案を実施するための形態】
【００１５】
本考案の一実施例の携帯端末用スタンドを図１乃至図５を参照して説明する。
【００１６】
図1に示すＳは、載置面（例えば、テーブルの上面、机の上面である。）１００に載置される本体１を有した携帯端末用スタンドで、本体１は、外側に携帯端末２を支持する支持部３、４、４と、内側に小物５を収納する小物収納部６とを有し、この小物収納部６に小物５を出し入れ自在になるように、本体１が開閉できる構造となっている。本体１が開閉できる構造とは、例えば、図４に示すように、本体１の扉片１１が回動して本体１が開くようになっている。なお、本実施例では、本体１が開閉できる構造としたが、本願考案にあっては、これに限らず、図示しないが、本体１が分離できる構造としても良い。
【００１７】
この実施例の携帯端末用スタンドＳによれば、図２に示すように、携帯端末用スタンドＳに携帯端末２を縦型に支持したり、図３に示すように、携帯端末用スタンドＳに携帯端末２を横型に支持したりすることができる機能を備えている。更に、上記機能に加え、小物収納部６に小物５を収納でき、使用勝手の良好な携帯端末用スタンドＳを得ることができる。
【００１８】
なお、小物５が収納される小物収納部６に、少なくとも、充電ケーブル５１、イヤホン５２、ＵＳＢ５３の何れか一つ以上が収納されていれば良い。そのため、携帯端末用スタンドＳにあっては、携帯端末２を支持する機能に加え、充電ケーブル５１、又は、イヤホン５２、又は、ＵＳＢ５３を収納でき、使用勝手の良好な携帯端末用スタンドＳを得ることができる。
【００１９】
また、本実施例の本体１の形状は、しろくまであるが、本願考案にあっては、これに限らず、本体１の形状は、動物、魚、人形、果物、植物及びキャラクターの何れかであれば良い。
そのため、本体１に意匠的デザインを施すことができ、携帯端末用スタンドＳの視認性を高めることができる。
【００２０】
また、本体１には、図５に示すように、棒状体７を収納する棒状体収納部１０が設けられ、棒状体収納部１０の開口部が外方に臨んでいる。
そのため、タッチペン、アップル社製アップルペンシル等の棒状体７を収納でき、使用勝手の良好な携帯端末用スタンドＳを得ることができる。
【符号の説明】
【００２１】
Ｓ         携帯端末用スタンド
１         本体
２         携帯端末
３         支持部
４         支持部
５         小物
５１       充電ケーブル
５２       イヤホン
５３       ＵＳＢ
６         小物収納部
７         棒状体
１０       棒状体収納部
１００     載置面
【図１】
0003234450.tif 000003
【図２】
0003234450.tif 000004
【図３】
0003234450.tif 000005
【図４】
0003234450.tif 000006
【図５】
0003234450.tif 000007